(57)【要約】【課題】  組み立て作業性に優れ、製造コストを低減させることが可能な移動物体検出装置を提供すること。【解決手段】  磁気検出素子４と、磁気検出素子４と電気的に接触する回路基板５と、磁気検出素子４に磁場を与える磁石３とを樹脂製ハウジング１内に配設してなる回転検出装置Ａに関する。ホルダー部材２は回路基板５をハウジング１内に配設する。電気コード６は回路基板５と電気的に接続され、磁気検出素子４による検出信号を外部に伝達する。第１の規制部１ｄはハウジングあに一体に設けられ電気コード６の取り出し方向を定める。第２の規制部２ｇは第１の規制部１ｄに対応するようにホルダー部材２に設けられ、第１の規制部１ｄに組み合わされることで電気コード６を外部に導くための導出路Ｓを形成する。【選択図】  図２
2005121504.tif 000002
【特許請求の範囲】
【請求項１】
磁気検出素子と、前記磁気検出素子と電気的に接続される回路基板と、前記磁気検出素子に磁場を与える磁石とを樹脂製ハウジング内に配設してなる移動物体検出装置であって、
前記回路基板を前記ハウジング内に配設するためのホルダー部材と、
前記回路基板と電気的に接続され前記磁気検出素子からの検出信号を少なくとも外部に伝達する配線部材と、
前記ホルダー部材もしくは前記ハウジングの少なくとも一方に設けられ前記配線部材の引き出し方向を定める規制部と、
を備えてなることを特徴とする移動物体検出装置。
【請求項２】
磁気検出素子と、前記磁気検出素子と電気的に接続される回路基板と、前記磁気検出素子に磁場を与える磁石とを樹脂製ハウジング内に配設してなる移動物体検出装置であって、
前記回路基板を前記ハウジング内に配設するためのホルダー部材と、
前記回路基板と電気的に接続され前記磁気検出素子からの検出信号を少なくとも外部に伝達する配線部材と、
前記ハウジングに一体に設けられ前記配線部材の取り出し方向を定める第１の規制部と、
前記第１の規制部に対応するように前記ホルダー部材に設けられ、前記第１の規制部に組み合わされることで前記配線部材を外部に導くための導出路を形成する第２の規制部と、
を備えることを特徴とする移動物体検出装置。
【請求項３】
前記第１の規制部に第１の係止部を設け、前記第２の規制部に第２の係止部を設けてなることを特徴とする請求項２に記載の移動物体検出装置。
【請求項４】
前記第１，第２の規制部は、前記回路基板の配設方向に対して略直交する状態にて設けられてなることを特徴とする請求項２に記載の移動物体検出装置。
【請求項５】
前記ホルダー部材は、前記磁石を配設するための第１の凹部と、前記磁石に当接する状態にて前記磁気検出素子を配設するための第２の凹部とを備えてなることを特徴とする請求項１もしくは請求項２に記載の移動物体検出装置
【請求項６】
前記ハウジングの内壁に設けられ前記ホルダー部材を前記ハウジングの底面側に案内するための第１の案内部と、前記第１の案内部に対応するように前記ホルダー部材に設けられる第２の案内部と、を備えてなることを特徴とする請求項１もしくは請求項２に記載の移動物体検出装置。
【発明の詳細な説明】
【技術分野】
【０００１】
本発明は、歯車や多極着磁のマグネットのような移動物体の移動状態を検出する移動物体検出装置に関するものである。
【背景技術】
【０００２】
移動物体検出装置としての回転検出装置は、特許文献１に開示されるものがある。この回転検出装置は、ホールＩＣやＭＲ素子等からなる磁気検出素子と、前記磁気検出素子と電気的に接触する回路基板と、前記磁気検出素子に磁場を与える磁石とを樹脂製ハウジング内に配設し、前記ハウジング内にエポキシ等の充填部材を充填し硬化させることで前記ハウジング内に配設される各部を固定するものが知られている。
【特許文献１】特開平２−２６４８１７号公報
【０００３】
かかる回転検出装置における前記回路基板には、前記磁気検出素子への電源供給及び前記磁気検出素子からの信号出力ための電気コードが半田接続されるとともに、この電気コードは前記ハウジング外に導出されるものである。そのため回転検出装置には、前記ハウジングの一部分に、ゴム等の軟質部材からなり前記電気コードが挿通する孔部を有するグロメットが装着され、この装着されたグロメットを介して前記電気コードが前記ハウジングに固定されるとともに、前記電気コードを所定方向に引き出すことが可能となるものである。
【発明の開示】
【発明が解決しようとする課題】
【０００４】
かかる構成の回転検出装置の製造工程において、前記グロメットに形成される前記孔部に前記電気コードを挿通させるとともに、前記グロメットを前記ハウジングに装着する工程が必要となり、部品点数の増加に伴って製造工程（組み立て作業）を煩雑にしてしまうといった問題点を有している。また、部品点数が多くなることから製造コストを高くしてしまうといった問題点も有している。
【０００５】
本発明の前述した問題点に着目し、組み立て作業性に優れ、製造コストを低減させることが可能な移動物体検出装置を提供することを目的とする。
【課題を解決するための手段】
【０００６】
本発明は、前述した課題を解決するため、請求項１に記載した移動物体検出装置のように、磁気検出素子と、前記磁気検出素子と電気的に接続される回路基板と、前記磁気検出素子に磁場を与える磁石とを樹脂製ハウジング内に配設してなる移動物体検出装置であって、前記回路基板を前記ハウジング内に配設するためのホルダー部材と、前記回路基板と電気的に接続され前記磁気検出素子からの検出信号を少なくとも外部に伝達する配線部材と、前記ホルダー部材もしくは前記ハウジングの少なくとも一方に設けられ前記配線部材の引き出し方向を定める規制部と、を備えてなるものである。
【０００７】
また、請求項２に記載した移動物体検出装置のように、磁気検出素子と、前記磁気検出素子と電気的に接続される回路基板と、前記磁気検出素子に磁場を与える磁石とを樹脂製ハウジング内に配設してなる移動物体検出装置であって、前記回路基板を前記ハウジング内に配設するためのホルダー部材と、前記回路基板と電気的に接続され前記磁気検出素子からの検出信号を少なくとも外部に伝達する配線部材と、前記ハウジングに一体に設けられ前記配線部材の取り出し方向を定める第１の規制部と、前記第１の規制部に対応するように前記ホルダー部材に設けられ、前記第１の規制部に組み合わされることで前記配線部材を外部に導くための導出路を形成する第２の規制部と、を備えるものである。
【０００８】
また、請求項３に記載した移動物体検出装置のように、請求項２に記載の移動物体検出装置において、前記第１の規制部に第１の係止部を設け、前記第２の規制部に第２の係止部を設けてなるものである。
【０００９】
また、請求項４に記載した移動物体検出装置のように、請求項２に記載の移動物体検出装置において、前記第１，第２の規制部は、前記回路基板の配設方向に対して略直交する状態にて設けられてなるものである。
【００１０】
また、請求項５に記載した移動物体検出装置のように、請求項１もしくは請求項２に記載の移動物体検出装置において、前記ホルダー部材は、前記磁石を配設するための第１の凹部と、前記磁石に当接する状態にて前記磁気検出素子を配設するための第２の凹部とを備えてなるものである。
【００１１】
また、請求項６に記載した移動物体検出装置のように、請求項１もしくは請求項２に記載の移動物体検出装置において、前記ハウジングの内壁に設けられ前記ホルダー部材を前記ハウジングの底面側に案内するための第１の案内部と、前記第１の案内部に対応するように前記ホルダー部材に設けられる第２の案内部と、を備えてなるものである。
【発明の効果】
【００１２】
本発明は、歯車や多極着磁のマグネットのような移動物体の移動状態を検出する移動物体検出装置に関し、組み立て作業性に優れ、製造コストを低減させることが可能となる。
【発明を実施するための最良の形態】
【００１３】
以下、添付図面に基づいて本発明の実施形態を説明するが、移動物体検出装置として従来例と同様に回転検出装置を例に挙げ説明する。
【００１４】
回転検出装置Ａは、図１及び図２に示すように、ハウジング１と、ホルダー部材２と、磁石３と、磁気検出素子４と、回路基板５と、電気コード（配線部材）６と、充填部材７とから構成されている。
【００１５】
ハウジング１は、図３及び図４に示すように、ＰＢＴ等の樹脂製材料からなり筒状形状をなしている。ハウジング１は、円筒状の外周面の一部分を平坦面とし、他の壁部に比べ薄肉の壁部からなる磁気検出面１ａを有している。この磁気検出面１ａから上方には、段差部１ｂを介して取付部１ｃが外方に引き出し形成されている。また、取付部１ｃより上方には、取付部１ｃに対して略直交する状態にて外方に引き出し形成され、後で詳述する電気コード６を外部に引き出し案内する第１の規制部１ｄが形成されている。尚、取付部１ｃの略中央には、金属材料からなるカラー８がインサート成形されている。また、第１の規制部１ｄは、断面形状が略コの字状をなしており、電気コード６をその場に止めやすい形状をなしている。
【００１６】
一方、ハウジング１の内部には、後で詳述するホルダー部材２をハウジング１の底面１ｅ方向に案内するガイド部材（第１の案内部）１ｆが内壁と一体的に形成されている。ガイド部材１ｆは、ハウジング１の底面１ｅから段差部１ｂとハウジング１の上端部との略中間位置まで達するように形成されており、ホルダー部材２をハウジング１内の適正位置に配設しやすいようになっている。
【００１７】
ホルダー部材２は、図５及び図６に示すように、ＰＢＴ等の樹脂製材料からなり、ホルダー部材２は、ヘッド部２１と、ボディー部２２と、引き出し部２３と、連結部２４とから構成されており、前記各部２１，２２，２３，２４は、一体的に形成されるとともに、断面形状が略Ｌ字形状をなしている。
【００１８】
ヘッド部２１は、後で詳述する磁石３を配設するための第１の凹部２ａと、第１の凹部２ａより上方に位置し後で詳述する磁気検出素子３を配設するための第２の凹部２ｂとを備えている。
【００１９】
ボディー部２２は、ヘッド部２１から延長形成されるとともに、後で詳述する回路基板５を配設するための載置部２ｃを有している。この載置部２ｃは、ヘッド部２１に近づくに連れて幅狭となる平坦面を有し、この載置部２ｃの両端部の上部及び下部には、一対の係止部２ｄ，２ｅがそれぞれ設けられている。一方、ボディー部２２の裏面側には、ハウジング１の内部に設けられるガイド部材１ｆに対応する案内溝（第２の案内部）２ｆが形成されている。
【００２０】
引き出し部２３は、ボディー部２２と略直交する状態にて連結部２４を介して引き出し形成され、この引き出された部位がハウジング１に設けられる第１の規制部１ｄに対応する第２の規制部２ｇを構成している。第２の規制部２ｇは、第１の規制部１ｄの形状に対応する断面形状が略コの字状をなし、第１の規制部１ｄに組み合わされることで電気コード６を外部に導くための導出路Ｓを形成する。第２の規制部２ｇは、第１の規制部１ｄのハウジング１側に形成された溝部（第２の係止部）１ｇの係合する一対のフック部材（第１の係止部）２ｈが形成されている。従って、ホルダー部材２は、ハウジング１に設けられたガイド部材１ｆに案内溝２ｆを沿わせてハウジング１の底面１ｅ方向に移動させ、第２の規制部２ｇに設けられたフック部材２ｈを第１の規制部１ｄに設けられた溝部１ｇに係合させることで、ヘッド部２１がハウジング１の底面１ｅに位置するとともに、ヘッド部２１に配設された磁気検出素子４がハウジング１の磁気検出面１ａに位置することになる。
【００２１】
連結部２４は、段差形状をなし、ボディー部２２と引き出し部２３とを連結する。連結部２４は、ボディー部２２の載置部２ｃに配設される回路基板５と電気的に接続される電気コード６を第１の規制部１ｄと第２の規制部２ｇとで構成される導出路Ｓへと導くための貫通孔部２ｉが形成されている。
【００２２】
磁石３は、ホルダー部材２のヘッド部２１に設けられる第１の凹部２ａに接着剤を介して配設され、磁気検出素子４に磁場を与えるものであり、図示しない磁性材料からなる被検出体（例えば、ギア）の凹凸の変化によって磁力が変化する。
【００２３】
磁気検出素子４は、ホールＩＣやＭＲ素子等からなり、ホルダー部材２のヘッド部２１に設けられる第２の凹部２ｂに磁石３と当接する状態にて配設される。磁気検出素子４は、前記被検出体の移動に伴う磁力の変化を電気信号に変換し、回路基板５及び電気コード６を介して外部に出力するものである。磁気検出素子４は、直線状にフォーミングされたリード端子４ａが回路基板５の図示しない接続ランドに半田を介して電気的に接続される。
【００２４】
回路基板５は、ガラス繊維入りエポキシ樹脂や紙フェノール樹脂あるいはセラミック等絶縁材料に所定の配線パターン（図示しない）を形成してなるもので、磁気検出素子４及び電気コード６と電気的に接続される。回路基板５は、ホルダー部材２のボディー部２２の載置部（平坦面）２ｃの形状に合うように外形がカットされ、回路基板５の外周がボディー部２２の４個所に設けられる各係止部２ｅ，２ｄに支持されることで、ホルダー部材２に配設固定される。尚、回路基板５をホルダー部材２に配設する際は、回路基板５を連結部２４側から載置部２ｃと各係止部２ｄ，２ｅとの間に形成される隙間に挿入することで、載置部２ｃに回路基板５が配設される。また、回路基板５には、ノイズ吸収用のコンデンサや磁気変換素子４からの出力信号を処理するためのコンパレータ等の電子部品（図示しない）が実装される。
【００２５】
電気コード６は、磁気検出素子４への電極供給ライン（プラス電源とマイナス電源）と磁気検出素子４からの信号出力ラインの少なくとも３本を有し、回路基板６の磁気検出素子４との非接続側に形成される接続ランド５ａと半田を介して電気的に接続される。電気コード６は、第１の規制部１ｄと第２の規制部２ｇとで構成される導出路Ｓから導出されるとともに、熱収縮チューブやテープ等の固定部材９によって第１，第２の規制部１ｄ，２ｇに固定される。
【００２６】
充填部材７は、エポキシ等の熱硬化型樹脂からなり、前述した各部を収納するハウジング１内に充填され、前述した各部を外部から隔離するとともに、前記各部を固定する。
【００２７】
前述した各部によって回転検出装置Ａが構成される。かかる回転検出装置Ａは、磁気検出素子４と、磁気検出素子４と電気的に接続される回路基板５と、磁気検出素子４に磁場を与える磁石３とを樹脂製ハウジング１内に配設してなる回転検出装置Ａに関し、回路基板５をハウジング１内に配設するためのホルダー部材２と、回路基板５と電気的に接続され、磁気検出素子４による検出信号を少なくとも外部に伝達する電気コード６と、ハウジング１に一体に設けられ電気コード６の取り出し方向を定める第１の規制部１ｄと、第１の規制部１ｄに対応するようにホルダー部材２に設けられ、第１の規制部１ｄに組み合わされることで電気コード６を外部に導くための導出路Ｓを形成する第２の規制部２ｇとを備えるものである。
【００２８】
回転検出装置Ａは、ハウジング１に設けられる第１の規制部１ｄとホルダー部材２に設けられる第２の規制部２ｇとで、電気コード６の導出方向を決定し、またハウジング１への固定を図ることが可能となるため、従来必要であったグロメットを不要とすることができる。従って、電気コード６の引き回し作業も電気コード６を第１の規制部１ｄに沿わせるとともに、第２の規制部２ｇを第１の規制部１ｄに組み合わせるといった簡単な作業によって電気コード６を引き回し、かつハウジング１に固定することができることから、組み立て作業を軽減させることが可能となる。また、部品点数を削減することができることから製造コストを低減できる。
【００２９】
また、第１の規制部１ｄに溝部１ｇを設け、第２の規制部２ｇにフック部材２ｈを設けてなるものであり、第１の規制部１ｄと第２の規制部２ｇとの組み付け作業においても溝部１ｇにフック部材２ｈを係合させるだけでよく、より製造工程を簡素化することができる。
【００３０】
また、第１，第２の規制部１ｄ，２ｇは、回路基板５の配設方向に対して略直交する状態にて設けられてなるものであり、電気コード６の引き回し作業を容易に行うことが可能となる。
【００３１】
また、ホルダー部材２は、磁石３を配設するための第１の凹部２ａと、磁石３に当接する状態にて磁気検出素子４を配設するための第２の凹部２ｂとを備えてなるものであり、磁石３及び磁気検出素子４からなる磁気ヘッドを第１，第２の凹部２ａ，２ｂに配設するだけで構成することができるため、回転検出装置Ａの製造工程を簡素化でき、しかも磁石３及び磁気検出素子４の配設位置が定まるため、磁気検出精度の製品単位でのばらつきを最小限に抑えることができる。
【００３２】
また、回転検出装置Ａは、ハウジング１の内壁に設けられホルダー部材２をハウジング１の底面１ｅ側に案内するためのガイド部材１ｆと、ガイド部材１ｆに対応するようにホルダー部材２に設けられる案内溝２ｆとを備えてなるものであり、  ホルダー部材２におけるヘッド部２１をハウジング１内の適正位置に正確に配設することが可能であり、磁気検出精度を向上させることができる。
【００３３】
尚、本発明の実施形態では、電気コード６を引き回し案内する規制部として第１，第２の規制部１ｄ，２ｇによって構成したが、請求項１に記載の本発明にあっては、ホルダー部材２もしくはハウジング１の少なくとも一方に規制部を設け、この規制部によって電気コード６の引き出し方向を定めるものであってもよく、このような場合にあっては、固定部材９によって、電気コード６と前記規制部とを固定することが望ましい。、
【産業上の利用可能性】
【００３４】
本発明の構成は、回転検出装置のみららず、例えば直線運動する被検出体の移動状態を検出する移動状態検出装置に適用しても良く、本発明は前述した実施形態に限定されるものではない。
【図面の簡単な説明】
【００３５】
【図１】本発明の実施形態の回転検出装置を示す斜視図。
【図２】同上実施形態の回転検出装置の要部断面図。
【図３】同上実施形態の回転検出装置のハウジングを示す要部断面図。
【図４】同上実施形態の回転検出装置のハウジングを示す平面図。
【図５】同上実施形態の回転検出装置のホルダー部材を示す要部断面図。
【図６】同上実施形態の回転検出装置のホルダー部材を示す平面図。
【符号の説明】
【００３６】
Ａ  回転検出装置（移動物体検出装置）
Ｓ  導出路
１  ハウジング
１ａ  磁気検出面
１ｄ  第１の規制部
１ｅ  底面
１ｆ  ガイド部材（第１の案内部）
１ｇ  溝部（第１の係止部）
２  ホルダー部材
２１  ヘッド部
２２  ボディー部
２３  引き出し部
２４  連結部
２ａ  第１の凹部
２ｂ  第２の凹部
２ｃ  載置部
２ｄ，２ｅ  係止部
２ｆ  案内溝
２ｇ  第２の規制部
２ｈ  フック部材（第２の係止部）
３  磁石
４  磁気検出素子
５  回路基板
６  電気コード（配線部材）
７  充填部材
【図１】
2005121504.tif 000003
【図２】
2005121504.tif 000004
【図３】
2005121504.tif 000005
【図４】
2005121504.tif 000006
【図５】
2005121504.tif 000007
【図６】
2005121504.tif 000008